【手続補正書】
【提出日】平成17年7月20日(2005.7.20)
【手続補正１】
【補正対象書類名】明細書
【補正対象項目名】特許請求の範囲
【補正方法】変更
【補正の内容】
【特許請求の範囲】
【請求項１】
プリントヘッドを用い、プリント媒体にドット形成位置条件を異ならせた第１および第２プリントにより画像のプリントを行うプリント装置に対し、前記第１および第２プリントでのプリント位置合わせを行うための処理を行うプリント位置合わせ方法であって、
前記第１プリントおよび第２プリントにより形成されるパターンであって、該第１プリントと該第２プリントとの相対的なプリント位置の複数のずれ量に対応してそれぞれ形成され、該複数のずれ量に対応してそれぞれ光学特性を示す複数のパターンを前記プリントヘッドに形成させるパターン形成工程と、
当該形成された複数のパターンのそれぞれについて、位置を異ならせて光学特性を複数回測定して複数のデータを得る測定工程と、
前記複数のパターンのそれぞれについて得られた前記複数のデータから、それぞれのパターンに係る光学特性を求め、当該光学特性に基づき前記第１プリントと前記第２プリントとの間のドット形成位置条件の調整値を得る調整値取得工程と、
前記複数のパターンのそれぞれについて得られた前記複数のデータから、前記調整値の取得に適さない状態で前記パターンが形成されていることを前記複数のパターンのそれぞれについて判定し、当該調整値の取得に適さない状態で形成されているパターンについては前記調整値取得工程での処理から除外させる判定工程と、
を具えたことを特徴とするプリント位置合わせ方法。
【請求項２】
前記調整値取得工程は、前記複数のデータの平均値を演算して前記パターンに係る光学特性とすることを特徴とする請求項１に記載のプリント位置合わせ方法。
【請求項３】
前記判定工程は、前記調整値の取得に適さない状態として、前記複数のデータから前記パターンに生じている濃度むらの存在を判定することを特徴とする請求項１または２に記載のプリント位置合わせ方法。
【請求項４】
前記判定工程は、前記複数のデータの最大値と最小値との差が所定値より大であるときに当該パターンが前記調整値の取得に適さない状態で形成されていると判定することを特徴とする請求項１ないし３のいずれかに記載のプリント位置合わせ方法。
【請求項５】
前記パターン形成工程は、前記プリント位置合わせに最低限必要なものより多くパターンを形成し、前記調整値の取得に適さない状態で形成されたパターンの存在が判定されたときに他のパターンに係る光学特性を前記調整値の取得の処理に供する工程をさらに具えたことを特徴とする請求項１ないし４のいずれかに記載のプリント位置合わせ方法。
【請求項６】
前記除外によって前記調整値取得の処理を行うのに十分な数の前記パターンに係る光学特性が得られない場合には、プリント位置合わせのための手動による調整を受容する工程をさらに具えたことを特徴とする請求項１ないし５のいずれかに記載のプリント位置合わせ方法。
【請求項７】
前記パターンが前記調整値の取得に適さない状態で形成されていると判定されたときに、少なくとも当該パターンの再形成および再測定を行わせる工程をさらに具えたことを特徴とする請求項１ないし４のいずれかに記載のプリント位置合わせ方法。
【請求項８】
前記第１プリントおよび前記第２プリントは、前記プリントヘッドを前記プリント媒体に対して往復走査させてプリントを行う場合のそれぞれ往走査および復走査でのプリント、複数の前記プリントヘッドのうちそれぞれ第１のプリントヘッドによるプリントおよび第２のプリントヘッドによるプリントであって前記第１および第２プリントヘッドが前記プリント媒体に対して相対的に走査される方向に関してのプリント、および複数の前記プリントヘッドのうちそれぞれ第１のプリントヘッドによるプリントおよび第２のプリントヘッドによるプリントであって前記第１および第２プリントヘッドが前記プリント媒体に対して相対的に走査される方向とは異なる方向に関してのプリントの、少なくとも一つを含むことを特徴とする請求項１ないし７のいずれかに記載のプリント位置合わせ方法。
【請求項９】
前記調整値取得工程は、前記測定工程により得られた光学特性データより、直線近似または多項式近似を用いて、連続値を用いた計算により、前記調整値を算出することを特徴とする請求項１ないし８のいずれかに記載のプリント位置合わせ方法。
【請求項１０】
前記パターン形成工程では、プリント装置が制御可能なプリント位置のピッチよりも緩和されたピッチでのパターン形成を行うことを特徴とする請求項１ないし９のいずれかに記載のプリント位置合わせ方法。
【請求項１１】
前記パターン形成工程では、前記第１プリントによるドットと前記第２プリントによるドットを配し、前記複数のずれ量に対応して前記ドット相互の位置関係を変化させて当該ドットのプリント媒体を覆う比率を変化させることにより、前記ずれ量に応じた光学特性を示す複数のパターンを形成させることを特徴とする請求項１ないし１０のいずれかに記載のプリント位置合わせ方法。
【請求項１２】
プリント剤を前記プリント媒体に付与するプリント素子がインラインに等間隔で、前記の方向とは異なる方向に複数配列されて前記第１プリントを行うプリントヘッドと、プリント剤を前記プリント媒体に付与するプリント素子がインラインに等間隔で、前記の方向とは異なる方向に複数配列されて前記第２プリントを行うプリントヘッドとを前記走査の方向に並置して用いるプリント装置に対してプリント位置合わせを行うことを特徴とする請求項１ないし１１のいずれかに記載のプリント位置合わせ方法。
【請求項１３】
前記第１プリントを行うプリントヘッドは少なくとも一つの色調のプリント剤を用いるプリントヘッド、前記第２プリントを行うプリントヘッドは少なくとも一つが前記色調とは異なる色調のプリント剤を複数用いるプリントヘッドであることを特徴とする請求項１２に記載のプリント位置合わせ方法。
【請求項１４】
前記プリントヘッドはインクを吐出することによりプリントを行うヘッドであることを特徴とする請求項１ないし１３のいずれかに記載のプリント位置合わせ方法。
【請求項１５】
プリントヘッドを用い、プリント媒体にドット形成位置条件を異ならせた第１および第２プリントにより画像のプリントを行うプリント装置であって、
前記第１プリントおよび第２プリントにより形成されるパターンであって、該第１プリントと該第２プリントとの相対的なプリント位置の複数のずれ量に対応してそれぞれ形成され、該複数のずれ量に対応してそれぞれ光学特性を示す複数のパターンを前記プリントヘッドに形成させるパターン形成手段と、
当該形成された複数のパターンのそれぞれについて、位置を異ならせて光学特性を複数回測定して複数のデータを得る測定手段と、
前記複数のパターンのそれぞれについて得られた前記複数のデータから、それぞれのパターンに係る光学特性を求め、当該光学特性に基づき前記第１プリントと前記第２プリントとの間のドット形成位置条件の調整値を得る調整値取得手段と、
前記複数のパターンのそれぞれについて得られた前記複数のデータから、前記調整値の取得に適さない状態で前記パターンが形成されていることを前記複数のパターンのそれぞれについて判定し、当該調整値の取得に適さない状態で形成されているパターンについては前記調整値取得手段での処理から除外させる判定手段と、
を具えたことを特徴とするプリント装置。
【請求項１６】
プリントヘッドを用い、プリント媒体にドット形成位置条件を異ならせた第１および第２プリントにより画像のプリントを行うプリント装置と、該プリント装置に対して前記画像のデータを供給するホスト装置とを具備したプリントシステムであって、
前記第１プリントおよび第２プリントにより形成されるパターンであって、該第１プリントと該第２プリントとの相対的なプリント位置の複数のずれ量に対応してそれぞれ形成され、該複数のずれ量に対応してそれぞれ光学特性を示す複数のパターンを前記プリントヘッドに形成させるパターン形成手段と、
当該形成された複数のパターンのそれぞれについて、位置を異ならせて光学特性を複数回測定して複数のデータを得る測定手段と、
前記複数のパターンのそれぞれについて得られた前記複数のデータから、それぞれのパターンに係る光学特性を求め、当該光学特性に基づき前記第１プリントと前記第２プリントとの間のドット形成位置条件の調整値を得る調整値取得手段と、
前記複数のパターンのそれぞれについて得られた前記複数のデータから、前記調整値の取得に適さない状態で前記パターンが形成されていることを前記複数のパターンのそれぞれについて判定し、当該調整値の取得に適さない状態で形成されているパターンについては前記調整値取得手段での処理から除外させる判定手段と、
を具えたことを特徴とするプリントシステム。